(57)【特許請求の範囲】
【請求項１】
弁ケーシングで入口と弁室と出口を形成し、入口と弁室の間に環状弁座を設け、弁室内に環状弁座を開閉する弁体を配置し、バネ受けと弁体の間に弁体を環状弁座へ付勢するコイルバネを設け、バネ受けの上部と下部に弁体側に突出する上突出部と下突出部を設けてコイルバネの外周の上部と下部を緩く保持したものにおいて、前記コイルバネの内周側であって前記バネ受けの前記上突出部の下方と前記下突出部の上方の前記コイルバネの内周の直径と略同じ距離を隔てた位置に前記弁体側に突出する第２上突出部と第２下突出部からなる上下一対の第２上下突出部を設けて前記コイルバネの内周の上部と下部を緩く保持したことを特徴とする逆止弁。
【発明の詳細な説明】
【技術分野】
【０００１】
本発明は液体や気体などの流体配管に取り付けて、流体の入口から出口への順方向の流れは許容するが、その逆方向すなわち出口から入口への流れは阻止する逆止弁に関し、特に弁体を環状弁座へ付勢するコイルバネを設けたものに関する。
【背景技術】
【０００２】
従来の逆止弁は特開２００４−１０８４０９に示されている。これは、弁ケーシングで入口と弁室と出口を形成し、入口と弁室の間に環状弁座を設け、弁室内に環状弁座を開閉する弁体を配置し、上下方向に一文字に伸びるバネ受けと弁体の間に弁体を環状弁座へ付勢するコイルバネを設け、バネ受けの上部と下部に弁体側に突出する上突出部と下突出部を設けてコイルバネの外周の上部と下部を緩く保持したものである。入口の流体圧力が出口の流体圧力及びコイルバネの付勢力よりも大きくなると、弁体がコイルバネを圧縮して環状弁座から離座し、入口の流体が弁体の外周を通って出口に流れる。入口の流体圧力が出口の流体圧力及びコイルバネの付勢力よりも小さくなると、弁体が入口側に変位して環状弁座に着座し、出口から入口への流体の逆流を防止する。
【０００３】
上記従来の逆止弁は、流体配管に取り付ける前に不用意に落下させたりして衝撃が与えられると、コイルバネの特にバネ受け側が左方向あるいは右方向にズレルという問題点があった。
【特許文献１】特開２００４−１０８４０９
【発明の開示】
【発明が解決しようとする課題】
【０００４】
解決しようとする課題は、コイルバネのバネ受け側が上下方向及び左右方向にズレルことのない逆止弁を提供することである。
【課題を解決するための手段】
【０００５】
本発明は、弁ケーシングで入口と弁室と出口を形成し、入口と弁室の間に環状弁座を設け、弁室内に環状弁座を開閉する弁体を配置し、バネ受けと弁体の間に弁体を環状弁座へ付勢するコイルバネを設け、バネ受けの上部と下部に弁体側に突出する上突出部と下突出部を設けてコイルバネの外周の上部と下部を緩く保持したものにおいて、バネ受けの上突出部の下方と下突出部の上方に弁体側に突出する第２上突出部と第２下突出部からなる上下一対の第２上下突出部を設けてコイルバネの内周の上部と下部を緩く保持したものである。
【発明の効果】
【０００６】
本発明の逆止弁は、落下等による衝撃が受けても、バネ受けの上突出部と下突出部及び第２上突出部と第２下突出部によりコイルバネのバネ受け側が上下方向にズレルことを防止でき、バネ受けの第２上突出部と第２下突出部によりコイルバネのバネ受け側が左右方向にズレルことを防止できるという優れた効果を生じる。
【発明を実施するための最良の形態】
【０００７】
本発明は、バネ受けの上部と下部に弁体側に突出する上突出部と下突出部を設けてコイルバネの外周の上部と下部を緩く保持し、バネ受けの上突出部の下方と下突出部の上方に弁体側に突出する第２上突出部と第２下突出部を設けてコイルバネの内周の上部と下部を緩く保持したものである。そのため、落下等による衝撃が受けても、バネ受けの上突出部と下突出部及び第２上突出部と第２下突出部によりコイルバネのバネ受け側が上下方向にズレルことを防止でき、バネ受けの第２上突出部と第２下突出部によりコイルバネのバネ受け側が左右方向にズレルことを防止できる。
【実施例１】
【０００８】
上記の技術的手段の具体例を示す実施例を説明する（図１乃至図４参照）。本実施例の弁ケーシング１は、図示しない入口側配管フランジと出口側配管フランジの間に配置されボルトとナットからなる締結手段によって挟持されるものである。弁ケーシング１に入口２と、入口２よりも大径の弁室３と、出口４を形成し、入口２と弁室３の間に環状弁座５を設ける。入口２と弁室３と出口４と環状弁座５を同軸上に形成する。
【０００９】
環状弁座５の出口４側に環状弁座５を開閉する弁体６を配置する。弁体６は、その入口２側面から突出させて設けた弁棒７と出口４側面から突出させて設けた出口側弁棒８を一体に有する。入口２の内壁から弁室３内に突出する２本のリブ９，１０を弁ケーシング１に一体に形成する。リブ９，１０の内端に、弁棒７の外周が摺動するガイド孔１１を有するガイド部材１２を一体に形成する。ガイド部材１２のガイド孔１１は入口２と同軸上に形成する。リブ９，１０の内端側とガイド部材１２は弁室３内に位置する。弁体６は、その中央を出口４側に湾曲させて、弁室３側に突出するリブ９，１０とガイド部材１２を閉弁時に収容する窪み部２０を形成する。
【００１０】
弁室３の内壁に２本のリブ１３，１４を弁ケーシング１に一体に形成する。リブ１３，１４に形成した溝１５，１６に、出口側弁棒８の外周が摺動するガイド孔１７を有するバネ受け１８の両端を嵌め込み、バネ受け１８を弁ケーシング１に取り付ける。バネ受け１８のガイド孔１７は入口２と同軸上に形成する。バネ受け１８は上下方向に一文字に伸び、弁体６との間に弁体６を環状弁座５へ付勢するコイルバネ１９を設ける。バネ受け１８は上部と下部に折り曲げて弁体６側に突出させた上突出部２１と下突出部２２を有し、上突出部２１の上端と下突出部２２の下端がリブ１３側とリブ１４側に曲がった形状である。上突出部２１と下突出部２２はコイルバネ１９の外周の上部と下部を緩く保持する。バネ受け１８の上突出部２１の下方と下突出部２２の上方に弁体６側に突出する第２上突出部２３と第２下突出部２４を溶接により固定する。第２上突出部２３と第２下突出部２４はコイルバネ１９の内周の上部と下部を緩く保持する。落下等による衝撃が受けても、バネ受け１８の上突出部２１と下突出部２２及び第２上突出部２３と第２下突出部２４によりコイルバネ１９のバネ受け１８側が上下方向にズレルことを防止でき、バネ受け１８の第２上突出部２３と第２下突出部２４によりコイルバネ１９のバネ受け１８側が左右方向にズレルことを防止できる。
【００１１】
入口２の流体圧力が出口４よりも高くなると、弁体６はコイルばね１９の付勢力に抗して出口４側に変位し、入口４の流体がリブ９，１０とガイド部材１２の周囲から弁体６の周囲を通って出口４に流れる。リブ９，１０の内端側とガイド部材１２が入口２よりも大径の弁室３内に位置するので、リブ９，１０とガイド部材１２の周囲の流体通過面積が大きく、流量が多くなる。出口４の流体圧力が入口２よりも高くなると、弁体６は流体圧力とコイルばね１９の作用を受けて、入口２側に変位して環状弁座５に機密的に接し、逆流を防止する。
【図面の簡単な説明】
【００１２】
【図１】本発明の逆止弁の実施例の閉弁状態を示す断面図である。
【図２】本発明の逆止弁の実施例の開弁状態を示す断面図である。
【図３】図１のＡ−Ａ断面図である。
【図４】図１のＢ−Ｂ断面図である。
【符号の説明】
【００１３】
１  弁ケーシング
２  入口
３  弁室
４  出口
５  環状弁座
６  弁体
１８  バネ受け
１９  コイルバネ
２１  上突出部
２２  下突出部
２３  第２上突出部
２４  第２下突出部
【図１】
0005295633.tif 000002
【図２】
0005295633.tif 000003
【図３】
0005295633.tif 000004
【図４】
0005295633.tif 000005